(57)【要約】【課題】交換レンズの各種状態を簡単かつ的確に知ることができる交換レンズを提供する。【解決手段】交換レンズ１００内に発音回路１１を設ける。レンズＣＰＵ８において、レンズ設定、装着されたカメラボディ、異常検出等の各種状態に応じて、それらを表す固有の発音を行う。また、カメラボディの発音と聞き分けることができる発音を行うこととし、装着したカメラボディからのメッセージと誤解が起こらないようにする。さらに、発音選択スイッチ１０を設け、不必要なときには発音をしないようにする。【選択図】                図１
2004252041.tif 000002
【特許請求の範囲】
【請求項１】
カメラ本体に対して着脱自在な交換レンズであって、
撮影光学系の少なくとも一部を形成し、像のブレを補正するブレ補正光学系と、
前記ブレ補正光学系の動作のＯＮ／ＯＦＦ、及び／又は、動作形態を切り替えるブレ補正モード切り替え部と、
前記ブレ補正モード切り替え部が前記切り替えを行ったときにその旨を伝える発音を行う発音部と、
を備える交換レンズ。
【請求項２】
カメラ本体に対して着脱自在であって、前記カメラ本体と組み合わせて用いられることにより自動的に合焦動作を行うことができるオートフォーカス動作可能な交換レンズであって、
オートフォーカス動作のＯＮ／ＯＦＦ、及び／又は、動作形態を切り替えるフォーカスモード切り替え部と、
前記フォーカスモード切り替え部が前記切り替えを行ったときにその旨を伝える発音を行う発音部と、
を備える交換レンズ。
【請求項３】
カメラ本体に対して着脱自在な交換レンズであって、
装着されたカメラ本体の情報を得るカメラ本体情報取得部と、
前記カメラ本体情報取得部が得た情報に基づいて必要なときに発音を行う発音部と、
を備える交換レンズ。
【請求項４】
請求項３に記載の交換レンズにおいて、
前記発音部は、装着されたカメラ本体が、ブレ補正動作に対応可能か否かにより発音を行うか否かを判断すること、
を特徴とする交換レンズ。
【請求項５】
請求項３に記載の交換レンズにおいて、
前記発音部は、装着されたカメラ本体が、レンズ内に設けられている合焦レンズモータの駆動に対応可能か否かにより発音を行うか否かを判断すること、
を特徴とする交換レンズ。
【請求項６】
請求項３に記載の交換レンズにおいて、
前記発音部は、装着されたカメラ本体が、絞り操作部を持たない交換レンズに対応可能か否かにより発音を行うか否かを判断すること、
を特徴とする交換レンズ。
【請求項７】
カメラ本体に対して着脱自在な交換レンズであって、
交換レンズ内の異常状態を検出する異常状態検出部と、
前記異常状態検出部が所定の異常状態を検出したときに発音を行う発音部と、
を備える交換レンズ。
【請求項８】
請求項７に記載の交換レンズにおいて、
前記発音部は、合焦レンズの駆動が緊急停止したときに発音を行うこと、
を特徴とする交換レンズ。
【請求項９】
請求項７に記載の交換レンズにおいて、
撮影光学系の少なくとも一部を形成し、像のブレを補正するブレ補正光学系を備え、
前記発音部は、前記ブレ補正光学系の駆動が緊急停止したときに発音を行うこと、
を特徴とする交換レンズ。
【請求項１０】
請求項１から請求項９までのいずれか１項に記載の交換レンズにおいて、
前記発音部は、カメラ本体が備える本体発音部から発生する音の周波数の整数倍の周波数とは異なる周波数の音を発すること、
を特徴とする交換レンズ。
【請求項１１】
請求項１から請求項１０までのいずれか１項に記載の交換レンズにおいて、
前記発音部は、発音中に周波数を変更できること、
を特徴とする交換レンズ。
【発明の詳細な説明】
【０００１】
【発明の属する技術分野】
本発明は、カメラボディに対して着脱自在な交換レンズに関するものである。
【０００２】
【従来の技術】
交換レンズの機能の複雑化に対応して、交換レンズにおける特定の状態を撮影者に伝えるために、例えば、交換レンズ内に発音手段を備え、レンズの位置が駆動制限された範囲内に位置することが検出された場合に、発音を行うものが提案されている（特許文献１参照）。
【０００３】
【特許文献１】
特開平９−１０５８５５号公報
【０００４】
【発明が解決しようとする課題】
しかし、近年の交換レンズは、多機能化が進み、撮影者の設定できる機能も多様化されてきた。それに伴い、外部からの操作による情報入力も複雑化してきている。
たとえば、フォーカスモード切り替え，ブレ補正モード切り替え，ＡＦ制限範囲切り替え，置きピント位置記憶及び駆動，その他のモード切り替えなどがある。
また、機能の複雑化に伴い、異常動作の種類も多様になってきている。
これら様々な外部からの情報入力、及び、異常動作により交換レンズがどのような状態にあるのかを撮影者が知る必要性が高くなっている。しかし、従来は、スイッチ等の設定の確認は、スイッチの位置により目視で認識、又は、設定した履歴を撮影者が記憶する必要があった。また、異常動作に関しては、特に撮影者には認識させずに、例えば、電源の再投入などによりシステム復帰するようになっており、これらの状態を十分に撮影者が知ることができなかった。
【０００５】
さらに、機能の複雑化と共に、交換レンズとカメラボディとの互換の関係も複雑化してきている。たとえば、ブレ補正機能対応ボディとの組み合わせ、レンズ内ＡＦモータ対応ボディとの組み合わせ、絞り環無しレンズ対応ボディとの組み合わせ、その他の対応ボディとの組み合わせなどがある。
従来、これらの組み合わせについては、撮影者がカタログ又は取扱説明書により確認して知識として知っておく必要があり、仮に、誤った組み合わせにより装着されると、特定の機能が正常に作動しないという問題があった。この場合、使用者が気付かないで、撮影しようとして正常な動作をしないことにより、初めて誤使用に気がつく場合が多く、シャッタチャンスを逃してしまうという問題があった。
【０００６】
このように、従来の交換レンズでは、撮影者が設定する設定内容、交換レンズの機能と対応ボディの関係、交換レンズの異常動作の種類等を知ることが不可能であったり、知ることができる場合であっても、非常に不明瞭かつ回りくどく、そして直接的では無かったりした。しかも、カメラの特性上、ファインダから目を離さずにできる確認法ではなかった。
【０００７】
本発明の課題は、交換レンズの各種状態を簡単かつ的確に知ることができる交換レンズを提供することである。
【０００８】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、カメラ本体（２００）に対して着脱自在な交換レンズ（１００）であって、撮影光学系の少なくとも一部を形成し、像のブレを補正するブレ補正光学系と、前記ブレ補正光学系の動作のＯＮ／ＯＦＦ、及び／又は、動作形態を切り替えるブレ補正モード切り替え部（１５）と、前記ブレ補正モード切り替え部が前記切り替えを行ったときにその旨を伝える発音を行う発音部（８，１１）と、を備える交換レンズである。
【０００９】
請求項２の発明は、カメラ本体（２００）に対して着脱自在であって、前記カメラ本体と組み合わせて用いられることにより自動的に合焦動作を行うことができるオートフォーカス動作可能な交換レンズ（１００）であって、オートフォーカス動作のＯＮ／ＯＦＦ、及び／又は、動作形態を切り替えるフォーカスモード切り替え部（１４）と、前記フォーカスモード切り替え部が前記切り替えを行ったときにその旨を伝える発音を行う発音部（８，１１）と、を備える交換レンズである。
【００１０】
請求項３の発明は、カメラ本体（２００）に対して着脱自在な交換レンズ（１００）であって、装着されたカメラ本体の情報を得るカメラ本体情報取得部（８）と、前記カメラ本体情報取得部が得た情報に基づいて必要なときに発音を行う発音部（８，１１）と、を備える交換レンズである。
【００１１】
請求項４の発明は、請求項３に記載の交換レンズ（１００）において、前記発音部（８，１１）は、装着されたカメラ本体（２００）が、ブレ補正動作に対応可能か否かにより発音を行うか否かを判断すること、を特徴とする交換レンズである。
【００１２】
請求項５の発明は、請求項３に記載の交換レンズ（１００）において、前記発音部（８，１１）は、装着されたカメラ本体（２００）が、レンズ内に設けられている合焦レンズモータの駆動に対応可能か否かにより発音を行うか否かを判断すること、を特徴とする交換レンズである。
【００１３】
請求項６の発明は、請求項３に記載の交換レンズ（１００）において、前記発音部（８，１１）は、装着されたカメラ本体（２００）が、絞り操作部を持たない交換レンズに対応可能か否かにより発音を行うか否かを判断すること、を特徴とする交換レンズである。
【００１４】
請求項７の発明は、カメラ本体（２００）に対して着脱自在な交換レンズ（１００）であって、交換レンズ内の異常状態を検出する異常状態検出部（１２，１８，１９）と、前記異常状態検出部が所定の異常状態を検出したときに発音を行う発音部（８，１１）と、を備える交換レンズである。
【００１５】
請求項８の発明は、請求項７に記載の交換レンズ（１００）において、前記発音部（８，１１）は、合焦レンズの駆動が緊急停止したときに発音を行うこと、を特徴とする交換レンズである。
【００１６】
請求項９の発明は、請求項７に記載の交換レンズ（１００）において、撮影光学系の少なくとも一部を形成し、像のブレを補正するブレ補正光学系を備え、前記発音部（８，１１）は、前記ブレ補正光学系の駆動が緊急停止したときに発音を行うこと、を特徴とする交換レンズである。
【００１７】
請求項１０の発明は、請求項１から請求項９までのいずれか１項に記載の交換レンズ（１００）において、前記発音部（８，１１）は、カメラ本体が備える本体発音部（３，４）から発生する音の周波数（ｆ２）の整数倍の周波数とは異なる周波数（ｆ１）の音を発すること、を特徴とする交換レンズである。
【００１８】
請求項１１の発明は、請求項１から請求項１０までのいずれか１項に記載の交換レンズ（１００）において、前記発音部（８，１１）は、発音中に周波数を変更できること、を特徴とする交換レンズである。
【００１９】
【発明の実施の形態】
以下、図面等を参照しながら、本発明の実施の形態について、更に詳しく説明する。
（第１実施形態）
図１は、本発明による交換レンズの第１実施形態を説明するブロック図である。
本実施形態における交換レンズ１００は、カメラボディ２００に対して着脱自在であって、接点７を介してカメラボディ２００と電気的に接続されている。
【００２０】
カメラボディ２００は、交換レンズ１００を装着可能なマウント（不図示）を備えたカメラ本体であり、電池１，電圧を安定に保つ電源回路２，交換レンズ１００内にパワー系の電源を供給するスイッチ６，カメラボディ２００内で制御を司るボディＣＰＵ３，カメラボディ２００の外部で操作できる外部操作スイッチ群５，カメラボディ２００側の発音回路４等を備えている。
【００２１】
交換レンズ１００は、レンズＣＰＵ８，不揮発メモリ９，ｚｏｏｍエンコーダスイッチ１６，ｄｉｓｔ（距離）エンコーダスイッチ１７，ＰＲＥ（フォーカスプリセット）スイッチ１３，ＡＦスイッチ１４，ＶＲスイッチ１５，発音選択スイッチ１０，発音回路１１，電源モニタ１２，ＳＷＭ回路部１８，ブレ補正回路部１９等を備えている。
【００２２】
本実施形態における交換レンズ１００は、不図示の撮影光学系の少なくとも一部により形成されたズームレンズ群を光軸に沿った方向に移動することにより撮影画角を変更可能なズームレンズである。また、交換レンズ１００は、不図示のフォーカスレンズ群を不図示のＳＷＭ（超音波モータ）により駆動することによりオートフォーカス駆動することができる。さらに、交換レンズ１００は、撮影光学系の少なくとも一部により形成され、光軸に略直交する方向に移動（シフト）可能な不図示のブレ補正光学系を備え、このブレ補正光学系を駆動することによりカメラの手振れに起因する像ブレを補正するブレ補正動作を行うことができる。
【００２３】
レンズＣＰＵ８は、ボディＣＰＵ３と通信し、レンズ内の制御を行うマイクロコンピュータである。レンズＣＰＵ８は、ボディＣＰＵ３と通信することにより、装着されたカメラボディ２００の情報を得るカメラ本体情報取得部として機能したり、発音回路１１と組み合わせて働くことにより必要なときに所定の発音を行う発音部としても機能する。
【００２４】
不揮発メモリ９は、電源オフ時にも記憶を保持するＥＥＰＲＯＭ等により形成された不揮発性の記憶部である。
ｚｏｏｍエンコーダスイッチ１６は、不図示のズームレンズ群の位置により切り替わるスイッチであり、ズームレンズ群の位置を検出することができる。
ｄｉｓｔエンコーダスイッチ１７は、フォーカスレンズ群の位置により切り替わるスイッチであり、フォーカスレンズ群の位置を検出することができる。
【００２５】
ＰＲＥスイッチ１３は、現在のフォーカスレンズ群（不図示）の位置を不揮発メモリ９に記憶するときに撮影者が操作する操作部である。このＰＲＥスイッチ１３が押されたときのフォーカスレンズ群位置（＝合焦させる位置）を記憶しておき、その後の任意のときに、不図示のゴーホームスイッチを押すと、フォーカスレンズ群を先に記憶させておいた位置に移動させることができる。
【００２６】
ＡＦスイッチ１４は、撮影者の操作によりフォーカスモードの切り替えを行うフォーカスモード切り替え部である。フォーカスモードには、手動でフォーカス動作を行うＭモードと、基本的にはオートフォーカスであって必要なときにマニュアルフォーカスを行うことができるＭ／Ａモードとが設けられている。
【００２７】
ＶＲスイッチ１５は、撮影者の操作によりブレ補正モードの切り替えを行うブレ補正モード切り替え部である。ブレ補正モードには、通常の手振れを補正する場合に適したノーマルモードと、車上撮影時などのブレ補正に有効に働くアクティブモードとが設けられている。
発音選択スイッチ１０は、発音機能を撮影者の操作でＯＮ／ＯＦＦできるスイッチである。
発音回路１１は、レンズＣＰＵ８の指示により制御されて発音を行う回路であり、所定のときに発音を行う発音部をＣＰＵ８と組み合わせられることにより形成している。なお、発音回路１１の詳細については、後に図２を用いて説明する。
【００２８】
電源モニタ１２は、カメラボディ１００から供給されるパワー系の電源を監視し、異常時にレンズＣＰＵ８に異常を伝える信号を出力する部分である。
ＳＷＭ回路部１８は、レンズＣＰＵ８の指示により制御され、フォーカスレンズ群を駆動する超音波モータ（ＳＷＭ）の駆動状態をレンズＣＰＵ８に出力する回路である。
ブレ補正回路部１９は、レンズＣＰＵ８の指示により制御され、ブレ補正動作用のアクチュエータ（不図示）の駆動状態をレンズＣＰＵ８に出力する回路である。なお、本実施形態におけるブレ補正は、ブレ補正光学系のシフト駆動を行うアクチュエータとしてボイスコイルモータ（ＶＣＭ）を使用している。
電源モニタ１２，ＳＷＭ回路部１８，ブレ補正回路部１９は、それぞれ、電源の異常状態，ＳＷＭ駆動の異常状態，ＶＣＭ駆動の異常状態を検出する異常状態検出部として機能している。
【００２９】
次に、本実施形態における発音方法について説明する。
図２は、本実施形態における発音回路１１を示した図である。
本実施形態における発音回路１１は、コントロール端子を備えた矩形波発生回路の出力に、他励式の圧電発音素子２０を接続したものである。この回路は、レンズＣＰＵ８の発音制御出力信号がＨｉｇｈであって、かつ、発音選択スイッチ１０がＯＮの時にのみ発音する構成となっている。図２の下部にそのときの駆動波形を示す。本回路の場合は、レンズＣＰＵ８の発音制御出力信号がＨｉｇｈ又はＬｏｗの２値を出力することにより、発音を制御することができる。
【００３０】
本実施形態では、交換レンズ１００は、カメラボディ２００に装着されて使用するため、カメラボディ２００の発する音の周波数と同じ音程を交換レンズ１００から発した場合、撮影者が混乱する可能性がある。
図３は、本実施形態における交換レンズ１００とカメラボディ２００の発音する周波数を説明する図である。
図３に示すように、カメラボディ２００の発音周波数をｆ２、交換レンズ１００の発音周波数をｆ１とすると、本実施形態では、以下の数式を満たすように発音周波数を設定している。
ｆ１≠Ｎ・ｆ２
（但し、Ｎ＝・・・１／４、１／３、１／２、１、２、３・・・）
この式を満たすようにしておけば、同時発音のユニゾン（同音程）はもとよりオクターブ（完全８度音程）の関係も避けることができ、レンズ１００自体が発音しているということを撮影者が容易に認識することができる。
また、人間の可聴範囲に合わせて発音する周波数を調整する必要があるので、以下の式をも満足するようにしている。
２０≦ｆ１≦２００００〔Ｈｚ〕
【００３１】
図４は、本実施形態における発音回路の駆動方法を示したものである。
本実施形態では、後述するように複数の発音条件において発音を行うので、周波数を変えることの他に、発音条件ごとに発音の仕方を変えて、発音を聞いただけでなぜ発音したのかが判るようになっている。
本実施形態では、以下の発音波形を用いている。
駆動波形１：単一周波数の間欠発音
駆動波形２：単一周波数の連続発音
駆動波形３：周波数連続可変（高域→低域）のＳｗｅｅｐ発音
駆動波形４：周波数連続可変（低域→高域）のＳｗｅｅｐ発音
駆動波形５：単一周波数の間欠発音（休止時間変化）
駆動波形６：複数周波数の間欠発音
【００３２】
ここで、本実施形態における発音条件について説明する。
図５は、本実施形態におけるレンズ鏡筒の発音に関する動作の概要を示すフローチャートである。
ステップ（以下、Ｓとする）１０では、特定の動作状態にあるか否かを判断する。ここで言う特定の動作状態については、後述する。特定の動作状態にある場合には、Ｓ３０へ進み発音を行い、特定の動作状態にない場合には、Ｓ２０へ進み発音を行わない。
本実施形態では、図５に示すように、特定の動作状態時に発音を行う。具体的には、レンズ設定に関する動作状態に応じて発音を行う。なお、この場合の発音選択スイッチ１０は、ＯＮ状態としてある。
【００３３】
図６は、第１実施形態におけるレンズ鏡筒がレンズ設定に関する動作状態を判断して発音する動作を示すフローチャートである。
Ｓ１１０では、レンズ設定に関するポートをモニタする。具体的には、ＰＲＥポート，ＡＦポート，ＶＲポート，ｚｏｏｍポート，ｄｉｓｔポートの５つのポートをモニタする。
Ｓ１２０では、発音条件を満たしているポート入力があるか否かを判断する。ここで、発音条件は、以下の表１に示した５つである。
【００３４】
【表１】
2004252041.tif 000003
【００３５】
表１に示した５つの発音条件のいずれかを満たした場合、Ｓ２３０へ進み、発音を行う。
このＳ１３０における発音では、いずれの発音条件により発音するかに応じて、発音する周波数や発音の駆動波形を変更し、それぞれに固有の発音を行う。
【００３６】
本実施形態によれば、レンズ設定に関する動作状態を判断して発音するので、レンズ設定を変更したことが撮影者に確実に伝わる。
また、音によりレンズ設定を変更したことを伝えるので、撮影者は、撮影中に視線をずらすことなく確認を行うことができる。
さらに、カメラボディの発音と聞き分けることができる発音を行うようにしたので、装着したカメラボディからのメッセージと誤解が起こらず、確実に撮影者が認識することができる。
さらにまた、発音選択スイッチ１０を設けたので、不必要なときには発音をしないようにすることができ、発音させることができない状況であっても交換レンズを使用することができる。
【００３７】
（第２実施形態）
第２実施形態及び後述する第３実施形態は、第１実施形態における発音条件を変更した形態であるので、第１実施形態と同様の機能を果たす部分には、同一の符号を付して、重複する説明を適宜省略する。
図７は、本実施形態におけるカメラボディとレンズの対応関係を示した図である。
交換レンズ１００が装着可能なカメラボディは、図７に示すカメラボディ２０１〜２０６の６種類が存在している。
カメラボディ２０１は、ブレ補正対応カメラボディである。
カメラボディ２０２は、ブレ補正非対応カメラボディである。
カメラボディ２０３は、レンズ内ＡＦモータ対応カメラボディである。
カメラボディ２０４は、レンズ内ＡＦモータ非対応カメラボディである。
カメラボディ２０５は、絞り環無しレンズ対応カメラボディである。
カメラボディ２０６は、絞り環無しレンズ非対応カメラボディである。
本実施形態は、交換レンズ１００がこれらの内のいずれのカメラボディに装着されたかに応じて、発音を行うようにした形態である。
【００３８】
図８は、第２実施形態におけるレンズ鏡筒が装着されているカメラボディに関する動作状態を判断して発音する動作を示すフローチャートである。
Ｓ２１０では、カメラボディと通信を行い、ブレ補正、レンズ内ＡＦモータ、絞り環無しレンズのそれぞれに対応しているか否かに関する情報を得る。
Ｓ２２０では、発音条件を満たしているポート入力があるか否かを判断する。ここで、発音条件は、以下の表２に示した３つである。
【００３９】
【表２】
2004252041.tif 000004
【００４０】
表２に示した３つの発音条件のいずれかを満たした場合、Ｓ２３０へ進み、発音を行う。
このＳ２３０における発音では、いずれの発音条件により発音するかに応じて、発音する周波数や発音の駆動波形を変更して発音する。
【００４１】
本実施形態では、ブレ補正、レンズ内ＡＦモータ、絞り環無しレンズ、の何れかに対応していれば、対応している機能に相当する発音を行うようにしている。したがって、複数の機能に対応している場合には、その組み合わせに応じた発音を行う。なお、本実施形態では、上述の機能に対応している場合に発音を行うようにしているが、例えば、対応していないカメラボディに装着されたときに、発音して警告するようにしてもよいし、装着されたカメラボディの対応非対応の全ての状態において、それぞれに対応する発音をするようにしてもよい。
【００４２】
本実施形態によれば、装着されたカメラボディが交換レンズの機能に対応しているか否かに応じて発音を行うので、誤った組み合わせのまま撮影しようとして該当する機能が働かない等の失敗を防止することができる。
【００４３】
（第３実施形態）
図９は、第３実施形態におけるレンズ鏡筒が異常検出に関する動作状態を判断して発音する動作を示すフローチャートである。
Ｓ３１０では、異常検出に関するポートをモニタし、レンズ鏡筒内に異常状態が発生しているか否かを検出する。本実施形態において異常検出に関するポートとしては、電源モニタ１２に接続されているポート、ＳＷＭ回路部１８に接続されているポート、ブレ補正回路１９に接続されているポートがある。
Ｓ３２０では、発音条件を満たしているポート入力があるか否かを判断する。ここで、発音条件は、以下の表３に示した３つである。
【００４４】
【表３】
2004252041.tif 000005
【００４５】
表３に示した３つの発音条件のいずれかを満たした場合、Ｓ３３０へ進み、発音を行う。
このＳ３３０における発音では、いずれの発音条件により発音するかに応じて、発音する周波数や発音の駆動波形を変更して発音する。
【００４６】
本実施形態によれば、交換レンズ内に異常が検出されると発音を行い、異常状態を撮影者に伝えるので、撮影者は、適切な対応を行うことができる。したがって、異常を知らずにそのまま使用を続けて交換レンズを損傷してしまったりすることを防止することができる。また、適切な対応を行うことにより交換レンズの動作を復帰させることができる。
【００４７】
（変形形態）
以上説明した実施形態に限定されることなく、種々の変形や変更が可能であって、それらも本発明の均等の範囲内である。
（１）各実施形態において、図２に示した発音回路を使用する例を示したが、これに限らず、他の形態の発音回路を用いてもよい。
図１０は、発音回路の変形形態を示す図である。本回路は、レンズＣＰＵ８の発音制御出力に直接、他励式の圧電発音素子２０を接続したものである。この回路は、レンズＣＰＵ８の発音制御出力信号が矩形波を出力し、かつ、発音選択スイッチ１０がＯＮの時のみ発音する構成となっている。図１０の下部にそのときの駆動波形を示す。本回路の場合は、レンズＣＰＵ８の発音制御出力信号は、周波数ｆ１の矩形波出力またはＬｏｗの２状態を出力することで、発音を制御することができる。
【００４８】
（２）各実施形態において、発音の周波数及び発音の駆動波形を変更することにより、各種状態を表す例を示したが、これに限らず、例えば、各種状態に応じた言葉を発音させるようにしてもよい。
【００４９】
（３）各実施形態では、レンズ設定、装着されたカメラボディ、異常検出それぞれを独立して説明したが、これらを適宜組み合わせて用いてもよい。
【００５０】
【発明の効果】
以上詳しく説明したように、本発明によれば、以下の効果を奏することができる。
（１）ブレ補正モード切り替え部が切り替えを行ったときにその旨を伝える発音を行う発音部を備えるので、撮影者は、撮影中に視線をずらすことなく、ブレ補正モードが切り替わったことを知ることができる。
【００５１】
（２）フォーカスモード切り替え部が切り替えを行ったときにその旨を伝える発音を行う発音部を備えるので、撮影者は、撮影中に視線をずらすことなく、フォーカスモードが切り替わったことを知ることができる。
【００５２】
（３）カメラ本体情報取得部が得た情報に基づいて必要なときに発音を行う発音部を備えるので、誤った組み合わせのまま撮影しようとして該当する機能が働かない等の失敗を防止することができる。
例えば、装着されたカメラ本体が、ブレ補正動作に対応可能か否か、レンズ内に設けられている合焦レンズモータの駆動に対応可能か否か、絞り操作部を持たない交換レンズに対応可能か否かを装着時に知ることができ、これらの対応関係を覚えていなくとも、誤った使い方をすることなく、撮影を行うことができる。
【００５３】
（４）異常状態検出部が所定の異常状態を検出したときに発音を行う発音部を備えるので、発生した異常状態に対して、撮影者は、適切な対応を行うことができ、異常状態のまま使用して交換レンズを破損させてしまうようなことを防止することができると共に、交換レンズの動作を復帰させることができる可能性も高くなる。合焦レンズの駆動が緊急停止したときや、ブレ補正光学系の駆動が緊急停止したとき等に、撮影者は、どのような部分に異常が発生したのかを把握することができ、例えば、ブレ補正光学系の駆動が緊急停止したときには、ブレ補正動作をＯＦＦすることにより、撮影を継続することができる。
【００５４】
（５）発音部は、カメラ本体が備える本体発音部から発生する音の周波数の整数倍の周波数とは異なる周波数の音を発するので、カメラ本体の発音と聞き分けることができる発音を行うことになり、装着したカメラボディからのメッセージと誤解が起こらず、確実に撮影者が認識することができる。
【００５５】
（６）発音部は、発音中に周波数を変更できるので、撮影者に伝えることができる内容の種類が多くなり、様々な状態を撮影者に伝えることができる。
【００５６】
（７）発音部の発する音により各種状態を伝えるので、交換レンズ自体を複雑化することなく、上述の効果を得ることができる。
【図面の簡単な説明】
【図１】本発明による交換レンズの第１実施形態を説明するブロック図である。
【図２】本実施形態における発音回路１１を示した図である。
【図３】本実施形態における交換レンズ１００とカメラボディ２００の発音する周波数を説明する図である。
【図４】本実施形態における発音回路の駆動方法を示したものである。
【図５】本実施形態におけるレンズ鏡筒の発音に関する動作の概要を示すフローチャートである。
【図６】第１実施形態におけるレンズ鏡筒がレンズ設定に関する動作状態を判断して発音する動作を示すフローチャートである。
【図７】本実施形態におけるカメラボディとレンズの対応関係を示した図である。
【図８】第２実施形態におけるレンズ鏡筒が装着されているカメラボディに関する動作状態を判断して発音する動作を示すフローチャートである。
【図９】第３実施形態におけるレンズ鏡筒が異常検出に関する動作状態を判断して発音する動作を示すフローチャートである。
【図１０】発音回路の変形形態を示す図である。
【符号の説明】
１  電池
２  電源回路
３  ボディＣＰＵ
４  ボディ内発音体
５  ボディ側外部操作スイッチ群
６  ボディ側パワー電源供給スイッチ
７  電気接点
８  レンズＣＰＵ
９  不揮発メモリ
１０  発音選択スイッチ
１１  発音回路
１２  電源モニタ
１３  ＰＲＥスイッチ
１４  ＡＦスイッチ
１５  ＶＲスイッチ
１６  ｚｏｏｍエンコーダスイッチ
１７  ｄｉｓｔ（絶対距離）エンコーダスイッチ
１８  ＳＷＭ回路部
１９  ブレ補正回路部
２０  レンズ内発音体
１００  レンズ
２００  カメラボディ
２０１  ブレ補正対応カメラボディ
２０２  ブレ補正非対応カメラボディ
２０３  レンズ内ＡＦモータ対応カメラボディ
２０４  レンズ内ＡＦモータ非対応カメラボディ
２０５  絞り環無しレンズ対応カメラボディ
２０６  絞り環無しレンズ非対応カメラボディ
【図１】
2004252041.tif 000006
【図２】
2004252041.tif 000007
【図３】
2004252041.tif 000008
【図４】
2004252041.tif 000009
【図５】
2004252041.tif 000010
【図６】
2004252041.tif 000011
【図７】
2004252041.tif 000012
【図８】
2004252041.tif 000013
【図９】
2004252041.tif 000014
【図１０】
2004252041.tif 000015